(57)【要約】【課題】プリント配線図における回路素子及び配線の配置を変更する場合において、設計者が効率よく変更後のプリント配線図を作成することができるようにすること。【解決手段】プリント配線図における回路素子及び配線の配置を変更する作業を支援する変更作業支援装置であって、変更前の回路図に対応するプリント配線図と変更後の回路図とを参照し、両者の差分に基づいて作業のうちの未了の項目を抽出する未了項目抽出部と、未了の項目のそれぞれに対応する回路素子及び配線の配置を変更する際の優先度に応じて未了の項目のそれぞれを表示する未了項目表示部とを備える。【選択図】図１
2010146287.tif 000002
【特許請求の範囲】
【請求項１】
プリント配線図における回路素子及び配線の配置を変更する作業を支援する変更作業支援装置であって、
変更前の回路図に対応するプリント配線図と変更後の回路図とを参照し、両者の差分に基づいて前記作業のうちの未了の項目を抽出する未了項目抽出部と、
前記未了の項目のそれぞれに対応する回路素子及び配線の配置を変更する際の優先度に応じて前記未了の項目のそれぞれを表示する未了項目表示部とを備えることを特徴とする変更作業支援装置。
【請求項２】
前記未了の項目のそれぞれに対応する回路素子及び配線の名称を表示し、且つ／又は、前記未了の項目のそれぞれに対応する回路素子及び配線の場所をプリント配線図において表示する作業箇所表示部をさらに備えることを特徴とする、請求項１に記載の変更作業支援装置。
【請求項３】
前記作業箇所表示部は、前記未了の項目のうちの利用者によって選択されたものに対応する回路素子及び配線の場所をプリント配線図において強調して表示することを特徴とする、請求項２に記載の変更作業支援装置。
【請求項４】
前記未了の項目のうちの利用者によって選択されたものに対応する回路素子及び配線の配置を変更する際の難易度をプリント配線図において表示する難易度表示部をさらに備えることを特徴とする、請求項１乃至３のいずれか１項に記載の変更作業支援装置。
【請求項５】
前記未了の項目のうちの利用者によって選択されたものを順次削除して未了の項目が無くなったときのプリント配線図を変更後のプリント配線図として生成するプリント配線図生成部をさらに備えることを特徴とする、請求項１乃至４のいずれか１項に記載の変更作業支援装置。
【請求項６】
前記難易度は、回路素子の形状、隣接する配線間の距離、及びプリント配線の素材の少なくともいずれかに基づいて決定されることを特徴とする、請求項１乃至５のいずれか１項に記載の変更作業支援装置。
【請求項７】
プリント配線図における回路素子及び配線の配置を変更する作業を支援する変更作業支援方法であって、
変更前の回路図に対応するプリント配線図と変更後の回路図との差分に基づいて前記作業のうちの未了の項目を抽出する工程と、
前記未了の項目のそれぞれに対応する回路素子及び配線の配置を変更する際の優先度に応じて前記未了の項目のそれぞれを表示する工程とを含むことを特徴とする変更作業支援方法。
【請求項８】
前記未了の項目のそれぞれに対応する回路素子及び配線の名称を表示する工程、且つ／又は、
前記未了の項目のそれぞれに対応する回路素子及び配線の場所をプリント配線図において表示する工程をさらに含むことを特徴とする、請求項７に記載の変更作業支援方法。
【請求項９】
前記未了の項目のうちの利用者によって選択されたものに対応する回路素子及び配線の場所をプリント配線図において強調して表示する工程を含むことを特徴とする、請求項８に記載の変更作業支援方法。
【請求項１０】
前記未了の項目のうちの利用者によって選択されたものに対応する回路素子及び配線の配置を変更する際の難易度をプリント配線図において表示する工程をさらに含むことを特徴とする、請求項７乃至９のいずれか１項に記載の変更作業支援方法。
【請求項１１】
前記未了の項目のうちの利用者によって選択されたものを順次削除して未了の項目が無くなったときのプリント配線図を変更後のプリント配線図として生成する工程をさらに含むことを特徴とする、請求項７乃至１０のいずれか１項に記載の変更作業支援方法。
【請求項１２】
プリント配線図における回路素子及び配線の配置を変更する作業を支援するプログラムであって、
変更前の回路図に対応するプリント配線図と変更後の回路図とを入力し、両者の差分に基づいて前記作業のうちの未了の項目を抽出する処理と、
前記未了の項目のそれぞれに対応する回路素子及び配線の配置を変更する際の優先度に応じて前記未了の項目のそれぞれをディスプレイに表示する処理とをコンピュータに実行させることを特徴とするプログラム。
【請求項１３】
前記未了の項目のそれぞれに対応する回路素子及び配線の名称を表示する処理、且つ／又は、
前記未了の項目のそれぞれに対応する回路素子及び配線の場所をプリント配線図において表示する処理をさらにコンピュータに実行させることを特徴とする、請求項１２に記載のプログラム。
【請求項１４】
前記未了の項目のうちの利用者によって選択されたものに対応する回路素子及び配線の場所をプリント配線図において強調して表示する処理をコンピュータに実行させることを特徴とする、請求項１３に記載のプログラム。
【請求項１５】
前記未了の項目のうちの利用者によって選択されたものに対応する回路素子及び配線の配置を変更する際の難易度をプリント配線図において表示する処理をさらにコンピュータに実行させることを特徴とする、請求項１２乃至１４のいずれか１項に記載のプログラム。
【請求項１６】
前記未了の項目のうちの利用者によって選択されたものを順次削除して未了の項目が無くなったときのプリント配線図を変更後のプリント配線図として生成する処理をさらにコンピュータに実行させることを特徴とする、請求項１２乃至１５のいずれか１項に記載のプログラム。
【発明の詳細な説明】
【技術分野】
【０００１】
本発明は、プリント配線図の変更作業支援装置、方法およびプログラムに関し、特に、プリント配線図における回路素子および配線の配置を変更する作業を支援する変更作業支援装置、方法およびプログラムに関する。
【背景技術】
【０００２】
プリント配線図における回路素子および配線の配置を変更する作業は、一般に複雑であることから、設計者は、変更後のプリント配線図を作成するのに多大な時間を要する。また、作業が複雑であることから、誤ったプリント配線図を作成するおそれもある。さらに、回路素子および配線の配置を変更する作業が不可能な箇所または困難な箇所を変更の対象としてしまうという問題もある。また、これらの問題に起因してプリント配線板の品質の低下を招くおそれもある。
【０００３】
特許文献１において、プリント基板の配線を変更する場合における、基板の品質低下や変更コストの増大を防ぐ方式が記載されている。また、特許文献２において、高速動作回路の電気的特性や伝送特性上の不具合を防止しつつ確実かつ迅速にプリント配線板の設計変更を行うことができる方式が記載さている。さらに、特許文献３において、マニュアル編集の効率化により、改造作業における工数削減、および改造データの品質向上を可能とするプリント配線板改造方法が記載されている。
【０００４】
【特許文献１】特開昭６３−１８６４９４号公報
【特許文献２】特開平０９−１９８４２８号公報
【特許文献３】特開平１１−２１３０２７号公報
【発明の開示】
【発明が解決しようとする課題】
【０００５】
以下の分析は、本発明者によってなされたものである。上記の特許文献に記載された方式および方法によると、設計者は、プリント配線図における回路素子および配線の配置を変更する際に、いずれの作業項目を優先すべきかについての指針を得ることができない。
【０００６】
プリント配線図における回路素子および配線の配置を変更する作業を効率良く実施するには、例えば、回路素子を削除し、または配線を切断する作業を、回路素子を追加し、または配線を接続する作業よりも優先することが好ましいと考えられる。
【０００７】
そこで、プリント配線図における回路素子および配線の配置を変更する場合において、設計者が効率よく変更後のプリント配線図を作成することができるようにすることが課題となる。本発明の目的は、かかる課題を解決する変更作業支援装置、方法およびプログラムを提供することにある。
【課題を解決するための手段】
【０００８】
本発明の第１の視点に係る変更作業支援装置は、プリント配線図における回路素子および配線の配置を変更する作業を支援する変更作業支援装置であって、変更前の回路図に対応するプリント配線図と変更後の回路図とを参照し、両者の差分に基づいて作業のうちの未了の項目を抽出する未了項目抽出部と、未了の項目のそれぞれに対応する回路素子および配線の配置を変更する際の優先度に応じて未了の項目のそれぞれを表示する未了項目表示部とを備える。
【０００９】
本発明の第２の視点に係る変更作業支援方法は、プリント配線図における回路素子および配線の配置を変更する作業を支援する変更作業支援方法であって、変更前の回路図に対応するプリント配線図と変更後の回路図との差分に基づいて作業のうちの未了の項目を抽出する工程と、未了の項目のそれぞれに対応する回路素子および配線の配置を変更する際の優先度に応じて未了の項目のそれぞれを表示する工程とを含む。
【００１０】
本発明の第３の視点に係るプログラムは、プリント配線図における回路素子および配線の配置を変更する作業を支援するプログラムであって、変更前の回路図に対応するプリント配線図と変更後の回路図とを入力し、両者の差分に基づいて作業のうちの未了の項目を抽出する処理と、未了の項目のそれぞれに対応する回路素子および配線の配置を変更する際の優先度に応じて未了の項目のそれぞれをディスプレイに表示する処理とをコンピュータに実行させる。なお、プログラムは、任意の記録媒体に記録される。
【発明の効果】
【００１１】
本発明に係る変更作業支援装置、方法およびプログラムによると、プリント配線図における回路素子および配線の配置を変更する場合において、設計者は、効率よく変更後のプリント配線図を作成することができる。変更作業のうちの未了の項目が自動的に抽出され、優先度に応じて設計者に提供されるからである。
【発明を実施するための最良の形態】
【００１２】
本発明の実施形態に係る変更作業支援装置について、図面を参照して説明する。図１は、本実施形態に係る変更作業支援装置の構成を示すブロック図である。変更作業支援装置５０は、プリント配線図における回路素子および配線の配置を変更する作業を支援する。
【００１３】
図１を参照すると、変更作業支援装置５０は、未了項目抽出部５１および未了項目表示部５２を備える。
【００１４】
未了項目抽出部５１は、変更前の回路図に対応するプリント配線図と変更後の回路図とを参照し、両者の差分に基づいて作業のうちの未了の項目を抽出する。未了項目表示部５２は、未了の項目のそれぞれに対応する回路素子および配線の配置を変更する際の優先度に応じて未了の項目のそれぞれを表示する。
【００１５】
変更作業支援装置５０は、さらに作業箇所表示部５３を備えることが好ましい。作業箇所表示部５３は、未了の項目のそれぞれに対応する回路素子および配線の名称を表示し、かつ／または、未了の項目のそれぞれに対応する回路素子および配線の場所をプリント配線図において表示する。また、作業箇所表示部５３は、未了の項目のうちの利用者によって選択されたものに対応する回路素子および配線の場所をプリント配線図において強調して表示することが好ましい。
【００１６】
変更作業支援装置５０は、さらに難易度表示部５４を備えることが好ましい。難易度表示部５４は、未了の項目のうちの利用者によって選択されたものに対応する回路素子および配線の配置を変更する際の難易度をプリント配線図において表示する。
【００１７】
変更作業支援装置は、さらにプリント配線図生成部５５を備えることが好ましい。プリント配線図生成部５５は、未了の項目のうちの利用者によって選択されたものを順次削除して未了の項目が無くなったときのプリント配線図を変更後のプリント配線図として生成する。
【００１８】
なお、上記の難易度は、回路素子の形状、隣接する配線間の距離、およびプリント配線の素材の少なくともいずれかに基づいて決定されるようにしてもよい。
【００１９】
本実施形態に係る変更作業支援装置５０によると、未了の項目が自動的に抽出されて、設計者に提供される。したがって、設計者は、効率良く変更後のプリント配線図を作成することができる。また、本実施形態に係る変更作業支援装置５０によると、未了の項目のそれぞれに対応する回路素子および配線の配置を変更する際の優先度に応じて未了の項目のそれぞれが表示される。したがって、設計者は、優先度の高い項目から順に作業を行うことができ、効率良く変更後のプリント配線図を作成することができる。
【００２０】
また、本実施形態に係る変更作業支援装置５０によると、未了の項目のそれぞれに対応する回路素子および配線の名称が表示され、かつ／または、未了の項目のそれぞれに対応する回路素子および配線の場所がプリント配線図において表示される。したがって、設計者は、作業の対象とすべき回路素子および配線の場所を容易に特定することができ、効率良く変更後のプリント配線図を作成することができる。
【実施例】
【００２１】
本発明の実施例に係る変更作業支援装置について図面を参照して詳細に説明する。
【００２２】
（構成）
図１は、本実施例に係る変更作業支援装置５０の構成を示すブロック図である。変更作業支援装置５０は、プリント配線図の設計変更において、設計者に作業工程、作業内容、作業候補を提示するとともに、変更後のプリント配線図を生成する。図１を参照すると、変更作業支援装置５０は、入出力装置１０、表示装置２０、演算処理装置３０、および記憶装置４０に接続される。
【００２３】
入出力装置１０は、プリント配線図における回路素子および配線の配置を変更する作業を支援する変更作業支援装置５０に対するデータの入出力を行う。入力されるデータは、変更前のプリント配線図（図６（Ａ）参照）および変更後の回路図（図５（Ｂ）参照）を含む。出力データは、変更後のプリント配線図（図６（Ｃ）において配線Ｗ１を削除したもの）を含む。
【００２４】
回路図やプリント配線図は、設計者によって、表示装置（ディスプレイ）２０上でマウス操作により作成される。作成されたこれらの図は、未了項目抽出部５１によってデータ化される。表示装置２０は、プリント配線図に対応する回路図や工事対象となる実装図を表示する。また、表示装置２０は、変更作業支援装置５０によって抽出された作業工程、作業内容および作業候補を表示する。また、設計者が、変更作業の内容や変更箇所をマウスなどにより表示装置２０の画面上で指示することによって、変更作業の内容や変更箇所が特定される。
【００２５】
演算処理装置３０は、変更作業支援装置５０における作業工程、作業内容および作業候補の抽出に関する演算を実施する。
【００２６】
記憶装置４０は、変更作業支援装置５０において抽出された作業工程、作業内容および作業候補、ならびに回路図およびプリント配線図を記憶する。
【００２７】
変更作業支援装置５０は、プリント配線図の変更作業において、設計者を支援しつつ、変更後のプリント配線図を生成する。図１を参照すると、変更作業支援装置５０は、未了項目抽出部５１、未了項目表示部５２、作業箇所表示部５３、難易度表示部５４、およびプリント配線図生成部５５を備える。
【００２８】
未了項目抽出部５１は、変更後の回路図と変更前のプリント配線図との差分に基づいて、変更作業のうちの未了の項目を抽出し、抽出された未了の項目を未了項目表示部５２に送信する。
【００２９】
未了項目表示部５２は、未了項目抽出部５１により抽出された内容に基づいて、変更作業に必要な工程を導きだし、手順を表示装置２０に表示する。図３は、未了項目表示部５２による表示の一例を示す図である。未了項目表示部５２は、図３の表における未了の項目を優先度に応じて表示することが好ましい。優先度は、例えば、作業の内容に基づいて決定されるようにしてもよい。一例として、未了項目表示部５２は、回路素子の削除および配線の切断に関する未了項目を、回路素子の追加および配線の接続に関する未了項目よりも優先するようにしてもよい。
【００３０】
作業箇所表示部５３は、図３の未了の項目のうち設計者によって指定されたものを、プリント配線図上で特定し、強調して表示する。例えば、作業箇所表示部５３は、図６（Ａ）のＰ２を強調表示するようにしてもよい。また、作業箇所表示部５３は、未了の項目のそれぞれに対応する回路素子および配線の名称を表示するようにしてもよい。図４は、作業箇所表示部５３による表示の一例を示す図である。また、作業箇所表示部５３は、設計者が図４の表において特定の未了の項目（例えば、回路素子の削除）を指定した場合に、プリント配線板図における作業箇所（図６（Ａ）における回路素子Ｐ２）を色分けするなどによって強調表示するようにしてもよい。
【００３１】
難易度表示部５４は、未了の項目のうちの利用者によって選択されたものに対応する回路素子および配線の配置を変更する際の難易度をプリント配線図において表示する。難易度表示部５４は、回路素子および配線の配置の変更が、実際に変更作業を行う上で適当な箇所であるか否かを判定し、その判定結果に基づいて、設計者に変更作業を行う箇所を提示する。例えば、影響されるパターンがなく、部品（例えば、回路素子）の下でなく、表面層のパターンである場合には「最適」とし、影響されるパターンがあり、部品の下でなく、表面層のパターンである場合には「工事可」とし、部品の下であり、表面層のパターンである場合には「工事難」とし、これら以外の場合には「禁止」とし、難易度表示部５４は、かかる旨を設計者に提示するようにしてもよい。
【００３２】
また、難易度表示部５４は、工事条件データが記録されている工事条件データベースを参照して、工事箇所の工事可能部位の工事難易度を分析し、プリント配線図に表示するようにしてもよい。工事条件データベースは、プリント配線図の工事に関する工事条件データを含み、データ記憶装置に予め記憶される。工事条件データとは、隣接する回路素子および配線間の距離、部品の形状、材質に関するデータを含み、例えば、部品の下部は工事不可とする際に用いられる。工事条件データベースは、さらに、工事箇所の優先順位を含むようにしてもよい。難易度表示部５４は、例えば、電気特性に基づく工事箇所の優先順位を設計者に提示するようにしてもよい。例えば、信号線長が短くなるような位置を設計者に提示することが好ましい。
【００３３】
プリント配線図生成部５５は、未了の項目のうちの設計者によって選択されたものを順次削除して未了の項目が無くなったときのプリント配線図を変更後のプリント配線図として生成する。プリント配線図生成部５５は、未了の項目のうちの設計者によって選択されたものを図３の表において終了した項目とするとともに、図４の表から削除する。設計者が、図３の表の配置変更作業において、未了の項目が無くなったことを確認し（または、図４における未了の項目が無くなったことを確認し）、変更後のプリント配線図の生成を選択することにより、変更後のプリント配線図が生成される。
【００３４】
（動作）
本実施例に係る変更作業支援装置の動作について図面を参照して説明する。図２は、本実施例における変更作業新装置５０の動作を示すフローチャートである。
【００３５】
図５は、本実施例において作業対象となる回路図の一例を示す図である。図５（Ａ）は変更前の回路図を示し、図５（Ｂ）は変更後の回路図を示す。ここでは、論理シンボルＣ２を削除し、これに伴って論理シンボルＣ１からＣ４への配線Ｗ２を接続し、さらに、論理シンボルＣ３からＣ４への配線Ｗ１を配線Ｗ３に変更する場合を例として説明する。
【００３６】
設計者は、変更内容に応じ、回路図において、部品の変更（図５における論理シンボルＣ２の削除）や配線の切断または接続（配線Ｗ１の切断、ならびに配線Ｗ２およびＷ３の接続）を行う（図２のステップＳ１）。
【００３７】
未了項目抽出部５１は、ステップＳ１において作成された変更後の回路図を読み込む（ステップＳ２）。また、未了項目抽出部５１は、変更前のプリント配線図を読み込む（ステップＳ３）。図６は、本実施例において作業対象となるプリント配線図の一例を示す図である。図６（Ａ）は、ステップＳ３において読み込まれた、変更前のプリント配線図を示す。
【００３８】
未了項目抽出部５１は、変更後の回路図と変更前のプリント配線図とを比較し、両者の差分に基づいて未了の項目（すなわち、論理シンボルＣ２の削除、配線Ｗ１の切断、配線Ｗ２およびＷ３の接続）を抽出し（ステップＳ４）、抽出した未了の項目を記憶装置４０に記憶させる。
【００３９】
未了項目表示部５２は、未了の項目を図３のように表示装置２０に表示する（ステップＳ５）。このとき、未了項目表示部５２は、未了の項目のそれぞれに対応する回路素子および配線の配置を変更する際の優先度に応じて未了の項目を表示するようにしてもよい。また、未了項目表示部５２は、未了の項目と、終了した項目とを区別することができるように表示することが好ましい。未了項目表示部５２は、未了項目抽出部５１により記憶装置４０に記録された未了の項目を参照して、上記の表示を行う。
【００４０】
設計者は、図３の表示に基づいて、未了の項目の有無を判断する（ステップＳ６）。設計者は、図３の表示に基づいて、回路素子の削除、配線の切断、配線の追加が未了の項目であることを把握する（ステップＳ６のＹｅｓ）。一方、設計者は、「回路素子の追加」、および「スルーホール破壊」の作業はすでに終了した項目であることを把握する。
【００４１】
設計者は、未了の項目のうちの、最も優先すべき項目として表示された「回路素子の削除」を選択する（ステップ７）。
【００４２】
作業箇所表示部５３は、設計者が工事箇所を特定することができるように、図４のような作業内容リストを表する。図４の作業内容リストは、未了項目抽出部５１によって抽出され、記憶装置４０に記録された未了項目の内容に応じて生成される。ここでは、Ｎｏ．１の欄における、回路素子Ｐ２の削除が優先すべき作業項目となる。設計者が図４の表においてＮｏ．１の欄を選択すると、図６（Ａ）に示すプリント配線図が表示され、回路素子Ｐ２が強調表示される（ステップＳ８）。これにより、設計者は、作業対象の回路素子Ｐ２を人手で検索することなく、削除すべき対象として選択することができる。
【００４３】
設計者は、図６（Ａ）の表示に基づいて、回路素子Ｐ２の削除を指示する（ステップ１０）。
【００４４】
また、プリント配線図生成部５５は、回路素子Ｐ２が削除されたプリント配線図を生成する（図６（Ｂ）参照）（ステップＳ１１）。
【００４５】
未了項目表示部５２は、図３の表において、「回路素子の削除」を終了した項目として表示する（ステップＳ５）。設計者は、図３の表を参照して未了の項目の有無を確認する（ステップＳ６）。設計者は、未了の項目があると判断し（ステップＳ６のＹｅｓ）、次に、優先すべき項目として、設計者は、図３の表において「配線の切断」を選択する（ステップＳ７）。
【００４６】
作業箇所表示部５３は、図４の作業内容リストを再表示する（ステップＳ８）。設計者は、Ｎｏ．２の欄における配線Ｗ１を切断すべきであることを把握する。また、設計者は、配線Ｗ１が回路素子Ｐ３の端子ｏ１を始点とし、回路素子Ｐ４の端子ｉ２を終点とする配線であることを認識することができる。設計者が、図４のリストにおいてＮｏ．２の欄を選択すると、作業箇所表示部５３は、図６（Ａ）のプリント配線図を表示し、特に、配線Ｗ１を強調表示する（ステップＳ８）。
【００４７】
難易度表示部５４は、配線Ｗ１のうちのいずれの箇所が、実際の作業において容易に切断することができるかを表示する（ステップＳ９）。難易度表示部５４は、例えば、設計者が配線Ｗ１の上をなぞった場合に、他の回路素子もしくは配線と配線Ｗ１との距離、または、スルーホールの位置などの情報に基づいて、例えば、配線Ｗ１上の点ａは「禁止」、点ｂは「最適」、点ｃは「工事難」などと表する（図６（Ｂ）参照）（ステップ９）。
【００４８】
設計者は、図６（Ｂ）の表示を参照して、実際の切断作業に適した箇所を選択する（ステップＳ１０）。設計者は、図６（Ｂ）に示した配線Ｗ１を切断する場合には、点ｂにおいて切断することが好ましいと判断する。
【００４９】
プリント配線図生成部５５は、変更後のプリント配線図を生成する（図６（Ｃ）参照。）（ステップＳ１１）。
【００５０】
未了項目表示部５２は、図３の表において、「配線の切断」を終了した項目として表示する（ステップＳ５）。設計者は、図３の表を参照して未了の項目の有無を確認する（ステップＳ６）。設計者は、未了の項目があるものと判断し（ステップＳ６のＹｅｓ）、次に、優先すべき項目として、設計者は、図３の表において「配線の接続」を選択する（ステップＳ７）。
【００５１】
作業箇所表示部５３は、図４の作業内容リストが再表示する（ステップＳ８）。設計者は、Ｎｏ．３の欄における配線Ｗ２を接続すべきであることを把握する。また、設計者は、配線Ｗ２が回路素子Ｐ１の端子ｏ１を始点とし、回路素子Ｐ４の端子ｉ１を終点とする配線であることを認識することができる。設計者が、図４のリストにおいてＮｏ．３の欄を選択すると、作業箇所表示部５３は、図６（Ｃ）のプリント配線図を表示し、特に、回路素子Ｐ１の端子ｏ１、および回路素子Ｐ４の端子ｉ１を強調表示する（ステップＳ８）。
【００５２】
難易度表示部５４は、配線Ｗ２を張るのに適当な箇所を難易度に基づいて決定して表示する（ステップＳ９）。
【００５３】
設計者は、配線Ｗ２を張るべき箇所を選択して、ストラップ工事の指示を行う（ステップＳ１０）。
【００５４】
プリント配線図生成部５５は、変更後のプリント配線図を生成する（図６（Ｃ）参照）（ステップＳ１１）。
【００５５】
同様に、設計者は、作業箇所表示部によって表示（ステップＳ８）された図４の作業リストに基づいて、Ｎｏ．４の欄における配線Ｗ３を接続すべきであることを把握する。そこで、設計者は、配線Ｗ３のストラップ工事の指示を行う（ステップＳ１０）。プリント配線図生成部５５は、変更後のプリント配線図を生成する（図６（Ｃ）参照）（ステップＳ１１）。
【００５６】
未了項目表示部５２は、図３の表において、「配線の接続」を終了した項目として表示する（ステップＳ５）。設計者は、図３の表を参照して未了の項目の有無を確認する（ステップＳ６）。設計者は、配置変更作業において、未了の項目がないものと判断する（ステップＳ６のＮｏ）。
【００５７】
そこで、設計者は、図３の表において、「変更後のプリント配線図の生成」を選択する。プリント配線図生成部５５は、変更後のプリント配線図を生成して、処理を終了する。
【００５８】
本実施例に係る変更作業支援装置によると、以下の効果がもたらされる。第１に、設計変更処理の作業手順が提供されることから、設計者は、プリント配線図の設計変更処理を作業誤りなく効率的に進めることができる。第２に、工事内容や工事箇所が提供されることから、設計者は、工事箇所を誤りなく特定し、効率よく作業を行うことができる。第３に、工事候補が優先度に応じて提供されることから、設計者は、工事を優先すべき箇所や工事が不可能な箇所を特定することができ、効率よく作業を行うことができる。
【００５９】
以上の記載は実施例に基づいて行ったが、本発明は、上記実施例に限定されるものではない。
【図面の簡単な説明】
【００６０】
【図１】本発明の実施例における変更作業支援装置の構成を示すブロック図である。
【図２】本発明の実施例における変更作業支援装置の動作を示すフローチャートである。
【図３】本発明の実施例における未了項目表示部による表示の一例を示す図である。
【図４】本発明の実施例における作業箇所表示部による表示の一例を示す図である。
【図５】本発明の実施例において作業対象となる回路図の一例を示す図である。
【図６】本発明の実施例において作業対象となるプリント配線図の一例を示す図である。
【符号の説明】
【００６１】
１０  入出力装置
２０  表示装置（ディスプレイ）
３０  演算処理装置
４０  記憶装置
５０  変更作業支援装置
５１  未了項目抽出部
５２  未了項目表示部
５３  作業箇所表示部
５４  難易度表示部
５５  プリント配線図生成部
Ｃ１〜Ｃ５  論理シンボル
Ｗ１〜Ｗ３  配線
ｏ１、ｏ２  端子
Ｐ１〜Ｐ５  回路素子
【図１】
2010146287.tif 000003
【図２】
2010146287.tif 000004
【図３】
2010146287.tif 000005
【図４】
2010146287.tif 000006
【図５】
2010146287.tif 000007
【図６】
2010146287.tif 000008